(57)【要約】      （修正有）【課題】釣り上げる魚体を生き物に近い外観を呈し、魚釣りの実感がえられる魚釣り上げ玩具を提供する。【解決手段】釣り竿と各種魚体の左外形縁と左図柄が構成される左側面板部材１０ａと各種魚体の右外形縁と右図柄が構成される右側面板部材とから設けられるとともに、左側面板部材の周縁部と右側面板部材の周縁部を帯状に溶融接着し、各種魚体には両側に磁力を吸着する鉄片が配備されたウレタンフォーム板部７ａが内装されて水に浮ぶ各種魚体から構成される。【選択図】図７
0003230253.tif 000002
【実用新案登録請求の範囲】
【請求項１】
釣り竿と各種魚体の左外形縁と左図柄が構成される左側面板部材と各種魚体の右外形縁と右図柄が構成される右側面板部材とから設けられるとともに、左側面板部材の周縁部と右側面板部材の周縁部を帯状に溶融接着し、各種魚体には両側に磁力を吸着する鉄片が配備されたウレタンフォーム板部が内装されてなる水に浮ぶ各種魚体からなる魚釣り上げ玩具。
【請求項２】
前記釣り竿は、持ち手部と釣り糸ガイド環付きで伸縮自在の竿部とから設けられ、遊戯時には竿部を伸長して用いられる請求項１の魚釣り上げ玩具。
【請求項３】
前記持ち手部にはリール部が備えられて、リール部のハンドルの回転方向により釣り糸の繰り出しと巻き取りが行えるように設けられ、釣り糸の先端に釣り上げ用のマグネット針体６が接続されてなる請求項１または請求項２の魚釣り上げ玩具。
【請求項４】
前記釣り竿は、持ち手部と伸縮しない竿部から設けられ、竿部の先端から、先端に釣り上げ用のマグネット針体６が接続される釣り糸が垂設される請求項１の魚釣り上げ玩具。
【請求項５】
前記各種魚体は、透明合成樹脂シートを裁断して形成される左外形縁と左図柄を左外側面に構成される左側面板部材と、透明合成樹脂シートを裁断して形成される右外形縁と右図柄を右外側面に構成される右側面板部材とから設けられ、前記左図柄は、左側面板部材の左内側面にオフセット印刷により多色インキ印刷が行われた後、その印刷面に白色インキ印刷が行われ、前記右図柄も、右側面板部材の右内側面に、前記左側面板部材の左外側面に構成される左図柄と同様に、オフセット印刷により多色インキ印刷が行われた後、その印刷面に白色インキ印刷が行われてなる請求項１の魚釣り上げ玩具。
【請求項６】
魚体に用いられる浮力体としてのウレタンフォーム板部は、所要の厚みのウレタンフォーム板から魚体の左図柄または右図柄の左右外形縁と同一か、それらの内側に対応する小形に切断され、その魚体頭部寄りには、切込みが設けられる請求項１または請求項５の魚釣り上げ玩具。
【請求項７】
吸磁着用の鉄片は、二つ折り方形鉄片に設けられ、前記ウレタンフォーム板部とは、折曲部がウレタンフォーム板部の切込みに嵌込まれ、魚体の左側面板部材の内側と右側面板部材の内側に配置されてなる請求項６の魚釣り上げ玩具。
【請求項８】
吸磁着用の鉄片は、方形に形成され、接着材又は粘着材により左側面板部材の左内側面と右側面板部材の右内側面またはウレタンフォーム板部の左右外側面に固定されてなる請求項８の魚釣り上げ玩具。
【請求項９】
魚体の左側面板部材の左図柄の左外形縁の外側に左帯状溶着用部を構成した魚体の左側面板部材の内面に、左図柄の左外形縁と同一またはその左外形縁より小さい外形縁に形成されたウレタンフォーム板部を配置し、ウレタンフォーム板部に配備する二つ折り方形鉄片の左側面板部材との対応面の一個所に具える粘着材により仮止めされ、その上面から右側面板部材を重合し、左側面板部材の左帯状溶着用部と右側面板部材の右帯状溶着用部を溶着して魚体が設けられてなる請求項１または請求項５の魚釣り上げ玩具。
【請求項１０】
所要厚・大判方形の透明合成樹脂シートからなる各種魚体用左側面板部材の左内面に、各種の魚体間には重合用帯状用部を夫々具えて各種の魚体の左図柄がオフセット印刷により多色印刷を行った後、その印刷面に白色（Ｗ）インキ印刷を行って設けられ、透明合成樹脂シートを通してみられる各種魚体の左図柄が左外面に構成される各種魚体用左側面板部材と、同じく所要厚・大判方形の透明合成樹脂シートからなる各種魚体用右側面板部材の右内面に、各種魚体間には重合用帯状用部を夫々具えて各種魚体の右図柄がオフセット印刷により多色印刷を行った後、その印刷面に白色（Ｗ）インキ印刷を行って設けられ、透明合成樹脂シートを通してみられる各種魚体の右図柄が右外面に構成される各種魚体用右側面板部材とからなる魚体を用いてなる魚釣り上げ玩具。
【請求項１１】
各種魚体用左側面板部材の左内面を上面とし、該各種魚体用左側面板部材と同じ大きさの縦幅と横幅を有し、所要厚のウレタンフォーム板には、前記各種魚体用左側面板部材の各種魚体の左図柄印刷面に夫々対応した切込みが設けれ、その夫々の切込みには対応する二つ折り鉄片が、その夫々の折曲部が夫々嵌め込まれてウレタンフォーム板部の両側面に添接配備され、かつ、前記各種魚体用左側面板部材の左内面の各種魚体の左図柄印刷面と前記二つ折り鉄片の対応面は、夫々粘着材により仮止めされてなる魚体を用いてなる魚釣り上げ玩具。
【請求項１２】
前記二つ折り鉄片が配備されたウレタンフォーム板は、対応する各種魚体の左右図柄の左右外形縁と同一か、やや内側の小形の外形縁に切断され、ウレタンフォーム板のフリーとなった部分が取り除かれて、ウレタンフォーム板部を個別に配備される魚体を用いてなる魚釣り上げ玩具。
【請求項１３】
各種魚体用右側面板部材が、その右内面を下方に向けて前記各種魚体用左側面板部材の左内面上に二つ折り鉄片を具えて個別に配備されたウレタンフォーム板部の上にセットされ、下方側の各種魚体用左側面板部材と上方側の各種魚体用右側面板部材が重合され、各種魚体用右側面板部材の右内面における夫々の各種魚体の右図柄の夫々の右外形縁とその適宜外側の延長縁とに構成させる夫々各種魚体の右帯状溶着用部と、各種魚体用左側面板部材の左内面における各種魚体の左図柄の夫々の左外形縁とその適宜外側の延長縁とに構成させる夫々各種魚体の左帯状溶着用部を溶融接着し、夫々の各種魚体の内部が気密に設けられ、各種魚体の溶着外形縁が切断されて設けられる魚体を用いてなる魚釣り上げ玩具。
【考案の詳細な説明】
【技術分野】
【０００１】
本考案は、魚釣り上げ玩具用魚体に関するものである。
【背景技術】
【０００２】
特許文献１には、魚などの絵柄を施した板紙等の片面あるいは両面に磁石に固着する鉄などの金属粉を混合したインキにより、金属粉インキ層を形成したことを特徴とする釣り上げ遊戯用具が提案されている。
【０００３】
特許文献２には、薄い木材、合成樹脂材または表面を硬化処理した厚紙等で作った魚の模型の口の部分にプラスチック製磁石の小片を挿着又は貼着し、釣り糸の先端にも同じくプラスチック製磁石の小片を取りつけて、磁石と磁石との吸引接着することにより魚釣り遊びの出来る魚釣り玩具が提案されている。
【先行技術文献】
【特許文献】
【０００４】
【特許文献１】実開昭５６−９３２８８号公報
【特許文献２】実開昭５６−６６３９９号公報
【考案の概要】
【考案が解決しようとする課題】
【０００５】
従来、魚釣り上げ玩具では、板紙等の外面に魚などの絵柄を施すものであり、また、板紙には磁石が吸着するクリップなどの金属製品、金属片が取り付けられるものである。特許文献１は、安全性の見地から吸磁金属体として、金属粉インキ層によるものとしている。しかし、金属粉インキ層は、鉄板に比べて吸磁力が劣り、釣り上げが不安定となる欠点がある。
【０００６】
特許文献２は、各魚体の口の部分にプラスチック製磁石の小片を夫々装備し、釣り糸の先端にも同じくプラスチック製磁石の小片を取りつけて、磁石と磁石との吸引接着させるものであるから、充分な吸着力を具備して確実な魚釣り遊びのできる釣り具おもちゃ玩具を提供できるが、製造原価の上昇が欠点となる。
【０００７】
本考案の魚釣り上げ玩具は、釣り上げる魚体を本物に近い外観を呈し、魚釣りの実感がえられることを目的になされたものである。
【課題を解決するための手段】
【０００８】
釣り竿と各種魚体の左外形縁と左図柄が構成される左側面板部材と各種魚体の右外形縁と右図柄が構成される右側面板部材とから設けられるとともに、左側面板部材の周縁部と右側面板部材の周縁部を帯状に溶融接着し、各種魚体には両側に磁力を吸着する鉄片が配備されたウレタンフォーム板部が内装されてなる水に浮ぶ各種魚体からなる魚釣り上げ玩具にある。
【０００９】
前記釣り竿は、持ち手部と、釣り糸ガイド環付きで伸縮自在の竿部とから設けられ、遊戯時には竿部を伸長して用いられる魚釣り上げ玩具と構成してもよいものである。
【００１０】
前記持ち手部にはリール部が備えられて、リール部のハンドルの回転方向により釣り糸の繰り出しと巻き取りが行えるように設けられ、釣り糸の先端に釣り上げ用のマグネット針体６が接続されてなる魚釣り上げ玩具と構成してもよいものである。
【００１１】
前記釣り竿は、持ち手部と伸縮しない竿部から設けられ、竿部の先端から先端に釣り上げ用のマグネット針体が接続される釣り糸が垂設される魚釣り上げ玩具と構成してもよいものである。
【００１２】
前記各種魚体は、透明合成樹脂シートを裁断して形成される左外形縁と左図柄を左外側面に構成される左側面板部材と、透明合成樹脂シートを裁断して形成される右外形縁と右図柄を右外側面に構成される右側面板部材とから設けられ、前記左図柄は、左側面板部材の左内側面にオフセット印刷により多色インキ印刷が行われた後、その印刷面に白色インキ印刷が行われ、前記右図柄も、右側面板部材の右内側面に、前記左側面板部材の左外側面に構成される左図柄と同様に、オフセット印刷により多色インキ印刷が行われた後、その印刷面に白色インキ印刷が行われてなる魚釣り上げ玩具と構成してもよいものである。
【００１３】
魚体に用いられる浮力体としてのウレタンフォーム板は、所要の厚みのウレタンフォーム板資材から魚体の左図柄または右図柄の左右外形縁と同一か、それらの内側に対応するように小形に切断され、その魚体頭部寄りには、切込みが設けられる魚釣り上げ玩具と構成してもよいものである。
【００１４】
吸磁着用の鉄片は、二つ折り方形鉄片に設けられ、前記ウレタンフォーム板部とは、折曲部がウレタンフォーム板部の切込みに嵌込まれ、魚体の左側面板部材の内側と右側面板部材の内側に配置されてなる魚釣り上げ玩具と構成してもよいものである。
【００１５】
吸磁着用の鉄片は、方形鉄片とし、接着材又は粘着材により左側面板部材の左内側面と右側面板部材の右内側面或いはウレタンフォーム板部の左右外側面に固定されてなる魚釣り上げ玩具と構成してもよいものである。
【００１６】
魚体の左側面板部材の左図柄の左外形縁の外側に左帯状溶着用部を構成した魚体の左側面板部材の内面に、左図柄の左外形縁と同一か、その左外形縁より小さい内側の外形縁に形成されたウレタンフォーム板部を配置し、ウレタンフォーム板部に配備する二つ折り方形鉄片の左側面板部材との対応面の一個所に具える粘着材により仮止めし、その上面から右側面板部材を重合し、左側面板部材の左帯状溶着用部と右側面板部材の右帯状溶着用部を溶着して魚体が設けられてなる魚釣り上げ玩具と構成してもよいものである。
【００１７】
所要厚・大判方形の透明合成樹脂シートからなる各種魚体用左側面板部材の左内面に、各種の魚体間には重合用帯状用部を夫々具えて各種の魚体の左図柄がオフセット印刷により多色印刷を行った後、その印刷面に白色インキ印刷を行って設けられ、透明合成樹脂シートを通してみられる各種魚体の左図柄が左外面に構成される各種魚体用左側面板部材と、同じく所要厚・大判方形の透明合成樹脂シートからなる各種魚体用右側面板部材の右内面に、各種魚体間には重合用帯状用部を夫々具えて各種魚体の右図柄がオフセット印刷により多色印刷を行った後、その印刷面に白色インキ印刷を行って設けられ、透明合成樹脂シートを通してみられる各種魚体の右図柄が右外面に構成される各種魚体用右側面板部材とからなる製造された魚体を用いてなる魚釣り上げ玩具と構成してもよいものである。
【００１８】
各種魚体用左側面板部材の左内面を上面とし、同じ大きさの所要厚のウレタンフォーム板には、前記各種魚体用左側面板部材の各種魚体の左図柄印刷面に夫々対応した切込みが設けれ、その夫々の切込みには対応する二つ折り鉄片が、その夫々の折曲部が夫々嵌め込まれてウレタンフォーム板部の両側面に添接配備され、かつ、前記各種魚体用左側面板部材の左内面の各種魚体の左図柄印刷面と前記二つ折り鉄片の対応面は、夫々粘着材により仮止めされてなる魚体を用いてなる魚釣り上げ玩具と構成してもよいものである。
【００１９】
前記二つ折り鉄片が配備されたウレタンフォーム板は、対応する各種魚体の左右図柄の左右外形縁と同一か、やや内側の小形の外形縁に切断され、ウレタンフォーム板のフリーとなった部分が取り除かれて、ウレタンフォーム板部を個別に配備される魚体を用いてなる魚釣り上げ玩具と構成してもよいものである。
【００２０】
各種魚体用右側面板部材が、その右内面を下方に向けて前記各種魚体用左側面板部材の左内面上に二つ折り鉄片を具えて個別に配備されたウレタンフォーム板部の上にセットされ、下方側の各種魚体用左側面板部材と上方側の各種魚体用右側面板部材が重合され、各種魚体用右側面板部材の右内面における夫々の各種魚体の右図柄の夫々の外形縁とその適宜外側の延長縁とに構成させる夫々各種魚体の右帯状溶着用部と、各種魚体用左側面板部材の左内面における各種魚体の左図柄の夫々の外形縁とその適宜外側の延長縁とに構成させる夫々各種魚体の左帯状溶着用部を溶融接着し、夫々の各種魚体の内部が気密に設けられ、各種魚体の溶着外形縁が切断されて設けられる魚体を用いてなる魚釣り上げ玩具と構成してもよいものである。
【考案の効果】
【００２１】
この考案の魚釣り上げ玩具における魚体は、表面に魚体の図柄が構成される左右側面板部材の外縁帯状部を溶着して設けられるから大量生産に適し、製造コストが安価である。
【００２２】
この考案の魚釣り上げ玩具における魚体は、表面に魚体の図柄が構成される左右側面板部材の外縁帯状部を溶着し最外縁を夫々切断して設けられるものであるから、外形と図柄の異なる多種魚体を一度の溶着切断工程で設けられるものである。
【００２３】
この考案の魚釣り上げ玩具における魚体は、魚体の表面に図柄がオフセット印刷、シルク印刷等による多色印刷により構成するものであるから、実感に富む美麗な外観に設けることができ、釣り上げの臨場感をもたらすものである。
【図面の簡単な説明】
【００２４】
【図１】本考案の魚釣り上げ玩具用魚体を使用した遊戯状態を示す斜視図である。
【図２】魚釣り上げ玩具用魚体の構成部材の左側面部板材単体の平面図である。
【図３】同じく、魚釣り上げ玩具用魚体の構成部材の右側面部板材単体の平面図である。
【図４】前記左側面部板材と右側面部板材の内面に夫々魚体の図柄の印刷がなされており、そのカラー印刷層を示す拡大部分断面図である。
【図５】魚体に浮力体として内装される連続気泡体単体の斜視図である。
【図６】魚体に磁力吸着板として内装される薄厚鉄板単体の斜視図である。
【図７】左側面部板材の内面に粘着剤をもって薄厚鉄板を固着し、薄厚鉄板を組み合せ結合した連続気泡体を保持した状態の内面側の説明平面図である。
【図８】左側面部板材と右側面部板材の夫々の左外形縁と右外形縁の所要巾を帯状に溶着し、内部を気密に設けてなる魚体の平面図である。
【図９】内部を気密に設けてなる魚体の左側面部板材と右側面部板材の帯状溶着部分の断面図である。
【図１０ａ】所要の大きさの透明合成樹脂シートの  内面に所要数の魚体の図柄が相互に所要の間隔を存して印刷されてなる各種魚体用左側面板部材の外面図である。
【図１０ｂ】同じく、各種魚体用左側面板部材の内面図である。
【図１１ａ】所要の大きさの透明合成樹脂シートの内面に所要数の魚体の図柄が相互に所要の間隔を存し、各種魚体用左側面板部材の図柄と対称に印刷されてなる各種魚体用左側面板部材の外面図である。
【図１１ｂ】同じく、各種魚体用左側面板部材と同じく各種の魚体の図柄が相互に対応する共に、対称図柄に設けてなる各種魚体用右側面板部材の内面図である。
【図１２】各種魚体用左側面板部材の内面に、薄鉄板を左右面に配置したウレタンフォーム板が各魚体にセットされた状態の説明平面図である。
【図１３】各種魚体用左側面板部材に各種魚体用右側面板部材を被せ、各魚体の周囲を帯状に容着シールする状態を説明する説明外面図である。
【考案を実施するための形態】
【００２５】
釣り竿２と魚体３ａの左外形縁９ａ１１と左図柄９ａ２１が構成される左側面板部材１０ａと魚体３ａの右外形縁９ａ１２と右図柄９ａ２２が構成される右側面板部材１０ｂとから設けられるとともに、前記左側面板部材１０ａの左外形縁９ａ１１の外側と右側面板部材１０ｂの右外形縁９ａ１２の外側を帯状に溶融接着し、魚体３ａには両側に磁力を吸着する鉄片が配備されたウレタンフォーム板部７ａが内装されてなる水に浮ぶ魚体３ａからなる魚釣り上げ玩具１にある。
【００２６】
前記釣り竿２は、持ち手部２ａと、釣り糸５のガイド環２ｂ１付きで伸縮自在の竿部２ｂとから設けられ、遊戯時には竿部２ｂを伸長して用いられる魚釣り上げ玩具１にある。
【００２７】
前記持ち手部２ａにはリール部４が備えられ、リール部４のハンドル４ａの回転方向により釣り糸５の繰り出しと巻き取りが行えるように設けられ、釣り糸５の先端に釣り上げ用のマグネット針体６が接続されてなる魚釣り上げ玩具１にある。
【００２８】
前記釣り竿２は、持ち手部２ａと伸縮しない竿部から設けられ、竿部の先端から、先端に釣り上げ用のマグネット針体６が接続される釣り糸５が垂設される魚釣り上げ玩具にある。
【００２９】
前記魚体３ａは、透明合成樹脂シートを裁断して形成される左外形縁９ａ１１と左図柄９ａ２１を左外側面１０ａ１に構成される左側面板部材１０ａと、透明合成樹脂シートを裁断して形成される右外形縁９ａ１２と右図柄９ａ２２を右外側面１０ｂ１に構成される右側面板部材１０ｂとから設けられ、前記左図柄９ａ２１は、左側面板部材１０ａの左内側面１０ａ２にオフセット印刷により多色インキ印刷が行われた後、その印刷面に白色インキ印刷が行われ、前記右図柄９ａ２２も、右側面板部材１０ｂの右内側面１０ｂ２に、前記左側面板部材１０ａの左外側面１０ａ１に構成される左図柄９ａ２１と同様に、オフセット印刷により多色インキ印刷が行われた後、その印刷面に白色インキ印刷が行われてなる魚釣り上げ玩具と構成してもよいものである。
【００３０】
魚体３ａに用いられる浮力体としてのウレタンフォーム板は、所要の厚みのウレタンフォーム板から魚体３ａの左外形縁９ａ１１または右外形縁９ａ１２と同一か、あるいはそれらの内側に対応するように小形に切断され、その魚体頭部寄りには、切込み７ａ１が設けられる魚釣り上げ玩具１にある。
【００３１】
吸磁着用の鉄片は、二つ折り方形鉄片８ａから設けられ、前記ウレタンフォーム板部７ａとは、折曲部８ａ１がウレタンフォーム板部７ａの切込み７ａ１に嵌込まれ、魚体３ａの左側面板部材１０ａの内側と右側面板部材１０ｂの内側に配置されてなる魚釣り上げ玩具１にある。
【実施例】
【００３２】
以下、本考案の魚釣り上げ玩具を、実施の一例として示す魚釣り上げ玩具１により説明すると、釣り竿２と各種の左右外形縁と左右図柄の魚体３ａ、３ｂ・・とから構成される。
【００３３】
前記釣り竿２は、持ち手部２ａと、ガイド環２ｂ１付きで伸縮自在の竿部２ｂから設けられ、遊戯時には図1に示すように竿部２ｂを伸長して用いる。持ち手部２ａおよび竿部２ｂとも主要資材はＰＰ（ポリプロピレン樹脂）である。
【００３４】
図示しないが、前記釣り竿２は、持ち手部２ａと、釣り糸ガイド環２ｂ１がなく、伸縮しない竿部から設けられるものであってもよいものである。
【００３５】
前記持ち手部２ａにはリール部４を備え、リール部４のハンドル４ａの回転方向により釣り糸５を繰り出しと巻き取りが行える。この釣り糸５の先端には釣り上げ用のマグネット針体６が接続される。釣り糸５の資材はＮ（ナイロン）である。
【００３６】
図示しない前記釣り糸ガイド環２ｂ１がなく、伸縮しない竿部では、その先端に釣り糸５の基端が取付けられ、釣り糸５の先端に釣り上げ用のマグネット針体６が接続される。
【００３７】
前記魚体３ａ、３ｂ・・は、左外形縁と左図柄が構成される左側面板材部材と右外形縁と右図柄の右側面板材部材とから設けられ、内部には浮力部材としてのウレタンフォーム板部に吸磁着用の鉄片が配備され、水面に浮ぶ浮力体に構成される。
【００３８】
前記魚体３ａ、魚体３ｂ・・から、実施の一例として魚体３ａについて、詳しく説明する。
【００３９】
前記魚体３ａは、透明合成樹脂シート（ノンフタル酸ＰＶＣ）を裁断して形成される左外形縁９ａ１１と、左図柄９ａ２１を左外側面１０ａ１に構成される左側面板部材１０ａと、透明合成樹脂シート（ノンフタル酸ＰＶＣ）を裁断して形成される右外形縁９ａ１２と、右図柄９ａ２２を右外側面１０ｂ１に構成される右側面板部材１０ｂとから設けられる。
【００４０】
前記左図柄９ａ２１は、左側面板部材１０ａの左内側面１０ａ２に、図４に示すように、オフセット印刷により、シアン(C)、マゼンタ（Ｍ）、イエロー（Ｙ）、ブラック(K)のインキ印刷を行った後、その印刷面に白色（Ｗ）インキ印刷を行ってなるものである。
【００４１】
前記右図柄９ａ２２も、同じく、右側面板部材１０ｂの右内側面１０ｂ２に、前記左側面板部材１０ａの左外側面１０ａ１に構成される左図柄９ａ２１と同様に、オフセット印刷により、シアン（Ｃ）、マゼンタ（Ｍ）、イエロー（Ｙ）、ブラック（Ｋ）のインキ印刷を行った後、その印刷面に白色（Ｗ）インキ印刷を行ってなるものである。
【００４２】
前記魚体３ａの実施例として、左図柄９ａ２１を左側面板部材１０ａの左外側面１０ａ１に、右図柄９ａ２２は右側面板部材１０ｂの右外側面１０ｂ１に夫々直接に印刷して設けてもよいものである。
【００４３】
図５に示す魚体３ａに用いられる浮力体としてのウレタンフォーム板部７ａは、所要の厚みの広幅のウレタンフォーム板（ノンフタル酸発泡ウレタン）から外形を魚体３ａの左図柄９ａ２１の左外形縁９ａ１１または右図柄９ａ２２の右外形縁２ａ１２と同一か、あるいはそれらの内側に対応するように小形に切断され、その魚体頭部寄りには、切込み７ａ１が設けられる。
【００４４】
図６に示す吸磁着用の鉄片の実施例は、二つ折り方形鉄片８ａに設けられ、前記マグネット針体６に吸磁着されるもので、ウレタンフォーム板部７ａとは、実施例では、折曲部８ａ１をウレタンフォーム板部７ａの切込み７ａ１に嵌込まれ、魚体３の左側面板部材１０ａの内側と右側面板部材１０ｂの内側に配置される。
【００４５】
吸磁着用の鉄片の実施例としては、二つ折り方形鉄片８ａを切り離して単片とし、その固定は、接着材又は粘着材１１により左側面板部材１０ａの左内側面１０ａ２と右側面板部材１０ｂの右内側面１０ｂ２又はウレタンフォーム板部７ａの左右外側面等でもよいものである。
【００４６】
図７に示すように、魚体３ａの左側面板部材１０ａの左図柄９ａ２１の左外形縁９ａ１１の外側に左帯状溶着用部９ａ３１を構成した魚体３ａの左側面板部材１０ａに、実施例として、ウレタンフォーム板部７ａを配置し、ウレタンフォーム板部７ａに配備する二つ折り方形鉄片８ａの左側面板部材１０ａの対応内面の一個所に具える粘着材１１により仮止めし、その上方から右側面板部材１０ｂを重合し、左側面板部材１０ａの左帯状溶着用部９ａ３１と右側面板部材１０ｂの右帯状溶着用部９ａ３２を図示しない溶着手段により図８に示すように溶着して溶着部１０ｙを設け、図８に示す魚体３ａが設けられる。前記魚体３ｂについても、前記魚体３ａと同様に設けられる。
【００４７】
魚釣り上げ玩具は、魚体を浴槽、庭の簡易プールその他に浮かべあるいは適当な個所に置いて遊ぶためには、魚種の多い方が趣向に富むものである。
【００４８】
次に、形状と図柄の異なる多種の魚体が一度に製造される実施例を説明すると、所要厚・大判方形の透明合成樹脂シートからなる各種魚体用左側面板部材１２ａの左内面１２ａ２に、各種魚体間には左帯状溶着用部９ａ３１、左帯状溶着用部９ｂ３１、左帯状溶着用部９ｃ３１、左帯状溶着用部９ｄ３１、左帯状溶着用部９ｅ３１、左帯状溶着用部９ｆ３１、左帯状溶着用部９ｇ３１、左帯状溶着用部９ｈ３１、左帯状溶着用部９ｉ３１、左帯状溶着用部９ｊ３１を具えて前記魚体３ａの左図柄９ａ２１、魚体３ｂの左図柄９ｂ２１を含み、魚体３ｃの左図柄９ｃ２１、魚体３ｄの左図柄９ｄ２１、魚体３ｅの左図柄９ｅ２１、魚体３ｆの左図柄９ｆ２１、魚体３ｇの左図柄９ｇ２１、魚体３ｈの左図柄９ｈ２１、魚体３ｉの左図柄９ｉ２１および魚体３ｊの左図柄９ｊ２１が、前記魚体３ａの左図柄９ａ１のオフセット印刷と同様に、シアン（Ｃ）、マゼンタ（Ｍ）、イエロー（Ｙ）、ブラック（Ｋ）のインキ印刷を行った後、その印刷面に白色（Ｗ）インキ印刷を行って設けられるものである。
よって、各種魚体用左側面板部材１２ａの左内面１２ａ２には、図１０ｂに示すような各種魚体の左図柄印刷面９ａ２１Ｗ・・・が構成され、各種魚体用左側面板部材１２ａの左外面１２ａ１は、透明合成樹脂シートを通して図１０ａに示すように、各種魚体用左側面板部材１２ａの各種魚体の左図柄９ａ２１・・・・が構成される。
【００４９】
同じく所要厚・大判方形の透明合成樹脂シートからなる各種魚体用右側面板部材１２ｂの右内面１２ｂ２に、図１１ａに示すように、各種魚体間には右帯状溶着用部９ａ３２、右帯状溶着用部９ｂ３２、右帯状溶着用部９ｃ３２、右帯状溶着用部９ｄ３２、右帯状溶着用部９ｅ３２、右帯状溶着用部９ｆ３２、右帯状溶着用部９ｇ３２、右帯状溶着用部９ｈ３２、右帯状溶着用部９ｉ３２、右帯状溶着用部９ｊ３２を具えて前記魚体３ａの右図柄９ａ２２、魚体３ｂの右図柄９ｂ２２を帯状溶着用部含み魚体３ｃの右図柄９ｃ２２、魚体３ｄの右図柄９ｄ２２、魚体３ｅの右図柄９ｅ２２、魚体３ｆの右図柄９ｆ２２、魚体３ｇの右図柄９ｇ２２、魚体３ｈの右図柄９ｈ２２、魚体３ｉの右図柄９ｉ２２および魚体３ｊの右図柄９ｊ２２が、前記魚体３ａの左図柄９ａ２１のオフセット印刷と同様に、シアン（Ｃ）、マゼンタ（Ｍ）、イエロー（Ｙ）、ブラック（Ｋ）のインキ印刷を行った後、その印刷面に白色（Ｗ）インキ印刷を行って設けられるものである。
よって、各種魚体用右側面板材１２ｂの右内面１２ｂ２には、図１１ｂに示すような各種魚体の右図柄印刷面が構成され、各種魚体用右側面板部材１２ｂの右外面１２ｂ１には、透明合成樹脂シートを通して図１１ａに示すように、各種魚体用右側面板部材１２ｂの右外面１２ｂ１に前記各種の魚体の右図柄が構成される。
【００５０】
前記各種魚体用左側面板部材１２ａが、その左内面１２ａ２を上面として図示しない加工機上にセットされる。その各種魚体用左側面板部材１２ａの上に、各種魚体用左側面板部材１２ａと同じ大きさの所要厚のウレタンフォーム板が置かれる。このウレタンフォーム板には、前記各種魚体用左側面板部材１２ａの魚体の左図柄印刷面９ａ２１ｗ、９ｂ２１ｗ、９ｃ２１ｗ、９ｄ２１ｗ、９ｅ２１ｗ、９ｆ２１ｗ、９ｇ２１ｗ、９ｈ２１ｗ、９ｉ２１ｗ、９ｊ２１ｗに夫々対応した切込み７ａ１、７ｂ１、７ｃ１、７ｄ１、７ｅ１、７ｆ１、７ｇ１、７ｈ１、９ｉ１、７ｊ１が設けれ、その夫々の切込みには対応する二つ折り方形鉄片８ａ、８ｂ、８ｃ、８ｄ、８ｅ、８ｆ、８ｇ、８ｈ、８ｉ、８ｊが、その夫々の折曲部８ａ１、８ｂ１、８ｃ１、８ｄ１、８ｅ１、８ｆ１、８ｇ１、８ｈ１、８ｉ１、８ｊ１が夫々嵌め込まれてウレタンフォーム板の両側面に添接配備される。そして、前記各種魚体用左側面板部材１２aの左内面１２ａ２の各種魚体の左図柄印刷面と対応する前記二つ折り方形鉄片８ａ、８ｂ、８ｃ、８ｄ、８ｅ、８ｆ、８ｇ、８ｈ、８ｉ、８ｊの対応面は、夫々粘着材１１により仮止めされる。
【００５１】
次に、図示しない加工機が作動され、前記二つ折り方形鉄片８ａ、８ｂ、８ｃ、８ｄ、８ｅ、８ｆ、８ｇ、８ｈ、８ｉ、８ｊが配備されたウレタンフォーム板は、対応する各種魚体の左図柄または右図柄の外形縁と同一か、それらよりやや小形の外形縁に切断され、ウレタンフォーム板のフリーとなった部分が取り除かれて、図１２に示す状態に加工される。
【００５２】
前記図１２に示す状態において、その上面に各種魚体用右側面板部材１２ｂが、その右内面１２ｂ２を下方に向けてセットされると、図示しない加工機が再び作動され、下方側の各種魚体用左側面板部材１２ａと上方側の各種魚体用右側面板部材１２ｂが重合され、再び図示しない加工機が作動され、図１２で示される各種魚体用右側面板部材１２ｂの右内面１２ｂ２における夫々の魚体３ａの右図柄９ａ２２、魚体３ｂの右図柄９ｂ２２、魚体３ｃの右図柄９ｃ２２、魚体３ｄの右図柄９ｄ２２、魚体３ｅの右図柄９ｅ２２、魚体３ｆの右図柄９ｆ２２、魚体３ｇの右図柄９ｇ２２、魚体３ｈの右図柄９ｈ２２、魚体３ｉの左図柄９ｉ２２および魚体３ｊの右図柄９ｊ２２の夫々の外形縁とその適宜外側の延長縁とに構成させる夫々魚体３ａの右帯状溶着用部９ａ３２、魚体３ｂの右帯状溶着用部３ｂ３２、魚体３ｃの右帯状溶着用部９ｃ３２、魚体３ｄの右帯状溶着用部９ｄ３２、魚体３ｅの右帯状溶着用部９ｅ３２、魚体３ｆの右帯状溶着用部９ｆ３２、魚体３ｇの右帯状溶着用部９ｇ３２、魚体３ｈの右帯状溶着用部９ｈ３２、魚体３ｉの右帯状溶着用部９ｉ３２および魚体３ｊの右帯状溶着用部９ｊ３２と、各種魚体用左側面板部材１２aの左内面１２a２における魚体３ａの左図柄９ａ２１、魚体３ｂの左図柄９ｂ２１、魚体３ｃの左図柄９ｃ２１、魚体３ｄの左図柄９ｄ２１、魚体３ｅの左図柄９ｅ２１、魚体３ｆの左図柄９ｆ２１、魚体３ｇの左図柄９ｇ２１、魚体３ｈの左図柄９ｈ２１、魚体３ｉの左図柄９ｉ２１および魚体３ｊの左図柄９ｊ２１の夫々の外形縁とその適宜外側の延長縁とに構成させる夫々魚体３ａの左帯状溶着用部９ａ３１、魚体３ｂの左帯状溶着用部３ｂ３１、魚体３ｃの左帯状溶着用部９ｃ３１、魚体３ｄの左帯状溶着用部９ｄ３１、魚体３ｅの左帯状溶着用部９ｅ３１、魚体３ｆの左帯状溶着用部９ｆ３１、魚体３ｇの左帯状溶着用部９ｇ３１、魚体３ｈの左帯状溶着用部９ｈ３１、魚体３ｉの左帯状溶着用部９ｉ３１および魚体３ｊの左帯状溶着用部９ｊ３１を図示しない加工機により溶融接着し、夫々の魚体の内部が気密に設けられ、さらに、図示しない加工機により夫々の各魚体の溶着外形縁が切断され、魚体３ａ、魚体３ｂ、魚体３ｃ、魚体３ｅ、魚体３ｆ、魚体３ｇ、魚体３ｈ、魚体３ｉ及び魚体３ｊが切り離されて、加工機の一度の工程での外形と図柄の異となる魚体の１０体の大量生産ができるものである。
【産業上の利用可能性】
【００５３】
この考案の魚釣り上げ玩具における魚体は、表面に魚体の図柄が構成される左右側面板部材の外縁帯状部を溶着して設けられるから大量生産に適し、製造コストが安価である。
【００５４】
この考案の魚釣り上げ玩具における魚体は、表面に魚体の図柄が構成される左右側面板部材の外縁帯状部を溶着し最外縁を夫々切断して設けられるものであるから、外形と図柄の異なる多種魚体を一度の溶着切断工程で設けられるものである。
【００５５】
この考案の魚釣り上げ玩具における魚体は、魚体の表面に図柄がオフセット印刷、シルク印刷等による多色印刷により構成するものであるから、実感に富む美麗な外観に設けることができ、狭い浴室は、勿論、庭などの屋外でも魚体を浮べて釣り上げの臨場感をもたらすものである。
【符号の説明】
【００５６】
１  魚釣り上げ玩具
２  釣り竿
２ａ  持ち手部
２ｂ  竿部
２ｂ１  ガイド環
３ａ  魚体
３ｂ  魚体
３ｃ  魚体
３ｄ  魚体
３ｅ  魚体
３ｆ  魚体
３ｇ  魚体
３ｈ  魚体
３ｉ  魚体
３ｊ  魚体
４  リール部
４ａ  ハンドル
５  釣り糸
６  マグネット針体
７ａ  ウレタンフォーム板部
７ａ１  切込み
７ｂ  ウレタンフォーム板部
７ｂ１  切込み
７ｃ  ウレタンフォーム板部
７ｃ１  切込み
７ｄ  ウレタンフォーム板部
７ｄ１  切込み
７ｅ  ウレタンフォーム板部
７ｅ１  切込み
７ｆ  ウレタンフォーム板部
７ｆ１  切込み
７ｇ  ウレタンフォーム板部
７ｇ１  切込み
７ｈ  ウレタンフォーム板部
７ｈ１  切込み
７ｉ  ウレタンフォーム板部
７ｉ１  切込み
７ｊ  ウレタンフォーム板部
７ｊ１  切込み
８ａ  二つ折り方形鉄片
８ａ１  折曲部
８ｂ  二つ折り方形鉄片
８ｃ  二つ折り方形鉄片
８ｄ  二つ折り方形鉄片
８ｅ  二つ折り方形鉄片
８ｆ  二つ折り方形鉄片
８ｈ  二つ折り方形鉄片
８ｉ  二つ折り方形鉄片
８ｊ  二つ折り方形鉄片
９ａ１１  左外形縁
９ａ２１  左図柄
９ａ２１ｗ  左図柄印刷面
９ａ３１  左帯状溶着用部
９ａ１２  右外形縁
９ａ２２  右図柄
９ａ２２ｗ  右図柄印刷面
９ａ３２  右帯状溶着用部
９ｂ１１  左外形縁
９ｂ２１  左図柄
９ｂ２１ｗ  左図柄印刷面
９ｂ３１  左帯状溶着用部
９ｂ１２  右外形縁
９ｂ２２  右図柄
９ｂ２２ｗ  右図柄印刷面
９ｂ３２  右帯状溶着用部
９ｃ１１  左外形縁
９ｃ２１  左図柄
９ｃ２１ｗ  左図柄印刷面
９ｃ３１  左帯状溶着用部
９ｃ１２  右外形縁
９ｃ２２  右図柄
９ｃ２２ｗ  右図柄印刷面
９ｃ３２  右帯状溶着用部
９ｄ１１  左外形縁
９ｄ２１  左図柄
９ｄ２１ｗ  左図柄印刷面
９ｄ３１  左帯状溶着用部
９ｄ１２  右外形縁
９ｄ２２  右図柄
９ｄ２２ｗ  右図柄印刷面
９ｄ３２  右帯状溶着用部
９ｅ１１  左外形縁
９ｅ２１  左図柄
９ｅ２１ｗ  左図柄印刷面
９ｅ３１  左帯状溶着用部
９ｅ１２  右外形縁
９ｅ２２  右図柄
９ｅ２２ｗ  右図柄印刷面
９ｅ３２  右帯状溶着用部
９ｆ１１  左外形縁
９ｆ２１  左図柄
９ｆ２１ｗ  左図柄印刷面
９ｆ３１  左帯状溶着用部
９ｆ１２  右外形縁
９ｆ２２  右図柄
９ｆ２２ｗ  右図柄印刷面
９ｆ３２  右帯状溶着用部
９ｇ１１  左外形縁
９ｇ２１  左図柄
９ｇ２１ｗ  左図柄印刷面
９ｇ３１  左帯状溶着用部
９ｇ１２  右外形縁
９ｇ２２  右図柄
９ｇ２２ｗ  右図柄印刷面
９ｇ３２  右帯状溶着用部
９ｈ１１  左外形縁
９ｈ２１  左図柄
９ｈ２１ｗ  左図柄印刷面
９ｈ３１  左帯状溶着用部
９ｈ１２  右外形縁
９ｈ２２  右図柄
９ｈ２２ｗ  右図柄印刷面
９ｈ３２  右帯状溶着用部
９ｉ１１  左外形縁
９ｉ２１  左図柄
９ｉ２１ｗ  左図柄印刷面
９ｉ３１  左帯状溶着用部
９ｉ１２  右外形縁
９ｉ２２  右図柄
９ｉ２２ｗ  右図柄印刷面
９ｉ３２  右帯状溶着用部
９ｊ１１  左外形縁
９ｊ２１  左図柄左図柄印刷面
９ｊ３１  左帯状溶着用部
９ｊ１２  右外形縁
９ｊ２２  右図柄
９ｊ２２ｗ  右図柄印刷面
９ｊ３２  右帯状溶着用部
１０ａ  左側面板部材
１０ａ１  左外側面
１０ａ２  左内側面
１０ｂ  右側面板部材
１０ｂ１  右外側面
１０ｂ２  右内側面
１０ｙ  溶着部
１１  粘着材
１２ａ  各種魚体用左側面板部材
１２ａ１  左外面
１２ａ２  左内面
１２ｂ  各種魚体用右側面板部材
１２ｂ１  右外面
１２ｂ２  右内面
【図１】
0003230253.tif 000003
【図２】
0003230253.tif 000004
【図３】
0003230253.tif 000005
【図４】
0003230253.tif 000006
【図５】
0003230253.tif 000007
【図６】
0003230253.tif 000008
【図７】
0003230253.tif 000009
【図８】
0003230253.tif 000010
【図９】
0003230253.tif 000011
【図１０ａ】
0003230253.tif 000012
【図１０ｂ】
0003230253.tif 000013
【図１１ａ】
0003230253.tif 000014
【図１１ｂ】
0003230253.tif 000015
【図１２】
0003230253.tif 000016
【図１３】
0003230253.tif 000017
【手続補正書】
【提出日】令和2年11月6日(2020.11.6)
【手続補正１】
【補正対象書類名】実用新案登録請求の範囲
【補正対象項目名】請求項３
【補正方法】変更
【補正の内容】
【請求項３】
前記持ち手部にはリール部が備えられて、リール部のハンドルの回転方向により釣り糸の繰り出しと巻き取りが行えるように設けられ、釣り糸の先端に釣り上げ用のマグネット針体６が接続されてなる請求項２の魚釣り上げ玩具。
【手続補正２】
【補正対象書類名】実用新案登録請求の範囲
【補正対象項目名】請求項８
【補正方法】変更
【補正の内容】
【請求項８】
吸磁着用の鉄片は、方形に形成され、接着材又は粘着材により左側面板部材の左内側面と右側面板部材の右内側面またはウレタンフォーム板部の左右外側面に固定されてなる請求項７の魚釣り上げ玩具。
【手続補正３】
【補正対象書類名】実用新案登録請求の範囲
【補正対象項目名】請求項１２
【補正方法】変更
【補正の内容】
【請求項１２】
前記二つ折り鉄片が配備されたウレタンフォーム板は、対応する各種魚体の左右図柄の左右外形縁と同一か、やや内側の小形の外形縁に切断され、ウレタンフォーム板のフリーとなった部分が取り除かれて、ウレタンフォーム板部を個別に配備される魚体を用いてなる請求項１１の魚釣り上げ玩具。